(57)【特許請求の範囲】
【請求項１】
洋風便器のボウルの後方に取り付け可能な洗浄装置本体と、該洗浄装置本体の前方に上下回動可能に備えつけられた便座とを備え、該便座の開口より後方の領域を含む座面の後方部分には、座面より隆起する膨出部と、該膨出部から後方に連続して形成されている座骨支持部、および、該座骨支持部より後方へ連続して形成されている傾斜部により構成されるオストメイト着座部を設けたことを特徴とするオストメイト及び健常者共用便座。
【請求項２】
前記座骨支持部は、オストメイトが着座したときに座骨部分が当接する平面および／または曲面にて形成されていることを特徴とする請求項１に記載のオストメイト及び健常者共用便座。
【請求項３】
前記座骨支持部の全部または一部が、座骨支持部の中央側を左右より凹ませた二次曲面もしくは中央側を前後左右より凹ませた三次曲面により形成されていることを特徴とする請求項１または２のいずれかに記載のオストメイト及び健常者共用の洗浄機能付き便座。
【請求項４】
前記座骨支持部の二次曲面が、曲率半径Ｒ＝３８０〜５８０ｍｍの範囲で形成されていることを特徴とする請求項３に記載のオストメイト及び健常者共用便座。
【請求項５】
前記洗浄装置本体の正面側には、オストメイト着座部に座ったときに臀部の一部を収容可能な凹陥部が形成されていることを特徴とする請求項１ないし請求項４のいずれか１項に記載のオストメイト及び健常者共用の洗浄機能付き便座。
【請求項６】
前記凹陥部は、前記洗浄装置本体の正面側の傾斜面に、断面視で略Ｌ字形に切り欠いたように形成されたことを特徴とする請求項５に記載のオストメイト及び健常者共用の洗浄機能付き便座。
【請求項７】
前記オストメイト着座部の全部もしくは一部を、前記便座と分離可能に設けたことを特徴とする請求項１ないし請求項６のいずれか１項に記載のオストメイト及び健常者共用の洗浄機能付き便座。
【発明の詳細な説明】
【技術分野】
【０００１】
本発明は、大腸癌や膀胱癌または炎症性腸疾患などのため、便や尿の排泄経路を変更して人工肛門や人工膀胱などのストーマ増設により排泄口を腹部や下腹部に設けた患者（以下、「オストメイト」という）用の便座に関し、更に詳細には、オストメイトと健常者が共用可能な洗浄機能付き便座に関する。
【背景技術】
【０００２】
従来、オストメイトが洋式便器を使用する場合、腹部のストーマに装着したパウチの口を開放することで排泄を行なう。かかる作業は、便器の前に立ってかがんで中腰で行う場合や、床に膝を付き便器を抱える形で行う場合もあるが、体力的な事由や衛生面に問題があるので、着座した状態での作業が好ましい。
【０００３】
着座した状態での作業の場合、便座の開口部をなるべく広く使えるように、便座の奥側に座って行う必要がある。ところが、一般的なタイプの便座の場合、便座の奥側には極めて座りにくく、また、便座に奥行きがない場合は座ることが困難な場合もあった。さらに、開口部も狭いため、オストメイトが作業を行うには不便であった。
【０００４】
とりわけ、最近の洋風便座は、温水洗浄機能や暖房、送風機能等を備えつけたものが一般的であり、特に、健常者と共用することを考慮した場合、かかる機能は不可欠である。そして、このような温水洗浄機能等を備える場合、それらの機能を内設した装置本体を便座の後方に設けている。かかる装置本体は、使用時に斜め前方下へと伸長する洗浄用ノズルを収納しており、装置本体のケーシングも、かかるノズルの伸長方向に合わせて正面側が便器の開口部に向けて傾斜する傾斜面を備え、側面視で略三角形に形成されているものが多い。
【０００５】
一方、装置本体に対し、便座はその後方部分が正面部分の傾斜面に被さるように形成されている場合がある。すなわち、便座自体の形状も、装置本体の傾斜面に沿って開口部分から後ろにかけて斜め上方へと反り上がるような形状に形成されている。このため、この部分に着座しても臀部がズレ下がってしまい、結局、健常者と同じ着座位置での作業が強いられていた。
【０００６】
ところで、特許文献１には、オストメイトに対応する便座として、便座の前方と後方とで穴の曲率半径を変えることにより、オストメイトが便座の奥側で安定して座ることができるとともに、前側には排便や排尿のための作業を行う空間が余裕をもって取れるという便座が開示されている。
【０００７】
しかしながら、特許文献１のものは、前方の作業空間および後方の座る座面を確保するために、便器の穴部の内寸法を通常のものよりも大きくする必要があるため、一般的な仕様の便器では採用することができないものであった。また、このものは、洗浄機能等を備えたタイプの便器や便座への適用については考慮されていない。
【０００８】
また、特許文献２には、通常の便座の後方にオストメイト用の着座補助具を配置したものが開示されている。このものは、オストメイトが使用する際は、後方の着座補助具に座ることにより、便座の開口を広く使えることができ、作業性が向上するというものである。
【０００９】
しかしながら、このものは、後方のタンクと便座の間の便器の上面に着座補助具を設置するというものであり、洗浄機能を備えた便器の場合は洗浄装置本体を当該位置に設置するため、着座補助具用を設置するスペースがないという問題があった。  
【先行技術文献】
【特許文献】
【００１０】
【特許文献１】特開２０１２−５２２８６
【特許文献２】特開２０１０−２１４０２９
【発明の概要】
【発明が解決しようとする課題】
【００１１】
そこで本発明は、従来のオストメイト及び健常者共用便座のかかる欠点を克服し、洗浄機能を備えた便座であって、排便等の作業時には安定して座れる着座スペースを確保するとともに、前方に十分な作業スペースを確保可能なオストメイト及び健常者共用便座の提供をその課題とするものである。
【課題を解決するための手段】
【００１２】
本発明は、上記課題を解決するものであり、洋風便器のボウルの後方に取り付け可能な洗浄装置本体と、該洗浄装置本体の前方に上下回動可能に備えつけられた便座とを備え、該便座の開口より後方の領域を含む座面の後方部分には、座面より隆起する膨出部と、該膨出部から後方に連続して形成されている座骨支持部、および、該座骨支持部より後方へ連続して形成されている傾斜部により構成されるオストメイト着座部を設けたことを特徴とするオストメイト及び健常者共用便座である。
【００１３】
また、本発明は、洗浄装置本体の正面側に、オストメイト着座部に座ったときに臀部の一部を収容可能な凹陥部が形成されていることを特徴とするオストメイト及び健常者共用の洗浄機能付き便座である。
【発明の効果】
【００１４】
本発明にかかるオストメイト及び健常者共用便座は、一般的な洋風便器にも取り付け可能であり、座面の後方部分に設けたオストメイト着座部に安定して座ることができるため、便座開口を広く使用することができ、オストメイトにとって排便等の作業が容易になる。
【００１５】
また、本発明にかかるオストメイト及び健常者共用便座で、洗浄装置本体の正面側に凹陥部が形成されているものは、該凹陥部に臀部の一部を収容可能なため、オストメイトが使用する際に本体と臀部が干渉することから生じる不快感を防ぐことができる。
【図面の簡単な説明】
【００１６】
【図１】本発明のオストメイト及び健常者共用便座を備えた便器全体の斜視図
【図２】本発明のオストメイト及び健常者共用便座の平面図
【図３】本発明のオストメイト及び健常者共用便座の正面図
【図４】本発明の本発明のオストメイト及び健常者共用便座の中央断面図
【図５】本発明のオストメイト及び健常者共用便座の異なる実施態様の斜視図
【発明を実施するための形態】
【００１７】
以下、本発明のオストメイト及び健常者共用便座の実施態様を、図面に基づいて具体的に説明する。なお、本発明はこれら実施態様に何ら制約されるものではない。
【００１８】
図に示すように、本発明の洗浄機能付き便座は、オストメイト及び健常者が着座可能に形成された便座１と、温水洗浄装置を内設するケーシングの本体２とからなる。本発明において、本体２は、洋風便器のボウル３の後方上面に据え付けられ、便座１は本体２の前方に上下回動可能に備えつけられている。また、便座１の上には、便座１をカバーする便蓋４を本体２に対して上下回動可能に設けてもよい。なお、本体２には、温水洗浄機能の他に、送風乾燥機能や脱臭機能等を内設してもよい。
【００１９】
便座１は、開口１２を取り囲むように環状に形成された座面１１を備え、かかる座面１１の後方が斜め後方へ反り上がるように傾斜して形成され、当該後方部分において、本体２の一部に被さるように配置されている。開口１２は、通常の便座と同様に、楕円形や卵形の開口形状を採用しても良いが、オストメイト用の作業スペースをより広く確保するために、本実施態様のように略だるま状に形成することが好ましい。
【００２０】
本実施態様の開口１２は、その開口寸法において、前側が後側よりも横幅が広くなるように形成され、さらに、その前後幅においても、通常の一般的な便座よりも広くなるように形成されている。このように、開口１２の内寸を前側が後側より幅広とし、さらに、前後幅も広い略だるま状に形成することで、便座に座ったままでパウチの中身を便器内に排出する際の作業スペースを広く確保することができる。さらに、後側の座面１１を幅広とし、当該部分の開口１２を窄まった形状とすることにより、術後間もないオストメイトの縫合した肛門部が開くおそれがなく、健常者の排便にも影響を及ぼすことがない。
【００２１】
便座１の座面１１の後方、より詳しくは、開口１２よりも後方の領域を含む座面１１の後方部分に、他の座面１１部分よりも隆起するオストメイト用着座部１３が設けられている。なお、ここで「開口１２よりも後方の領域」とは、図２に示すように開口１２の後端部１２１に接する仮想直線Ｌを左右方向へ引いたときに、この仮想直線Ｌよりも後方の座面１１の矢印で図示した領域を指す。
【００２２】
このオストメイト用着座部１３は、他の座面１１から隆起して形成された膨出部１３１と、該膨出部１３１から後方に連続して形成されている座骨支持部１３２、および該座骨支持部１３２より後方へ連続して形成されている傾斜部１３３とを備える。なお、オストメイト用着座部１３は、主に開口１２よりも後方の領域に設けられているが、かかる領域内に限定されるものではない。例えば、本実施態様のように、オストメイト用着座部１３の先端部１３４が、その中央部分では開口１２の後端部１２１に接するように設け、そこから左右に広がるにつれて、開口１２の後端部１２１よりも前方の座面１１側に迫り出すように形成しても良い。
【００２３】
膨出部１３１は、座面１１から連続的もしくは非連続的に一定の範囲において上方に隆起して形成されている。本実施態様では、膨出部１３１は座面１１から座骨支持部１３２にかけて、連続的且つ緩やかに盛り上がるとともに、後方の本体２側へと近接するに従い、略水平面へと移行する。すなわち、膨出部１３１は、平面視において中央部が最もその前後幅が狭くなっており、そこから左右に広がるにつれて、前後幅が広くなるように形成されているため、かかる左右の後方部分において本体２と近接する。よって、膨出部１３１は、左右の後方部分において略水平面に移行する。
【００２４】
膨出部１３１の後方に形成された座骨支持部１３２は、平面視でその中央部分が前方に張り出すように全体が緩やかに湾曲する帯状に形成されている。そして、便座１の後方の傾斜部分においても臀部を安定して支持できるように、平面または曲面、あるいは、それらの組み合わせにより構成されている。具体的には、本実施態様の座骨支持部１３２は、前後方向では略水平になるように形成されており、また、横方向では、左右両側から中央部分にかけて弧を描きながら窪んだ凹曲面（二次曲面）に形成されている。使用時には、かかる座骨支持部１３２に座骨部分が当接し、使用者の臀部がずれないようにホールドされる。かかる座骨支持部１３２の二次曲面は所定の曲率半径で形成することが好ましく、具体的には、曲率半径Ｒ＝３８０〜５８０ｍｍの範囲で形成することが好ましい。
【００２５】
さらに、座骨支持部１３２は、前後方向においてもその中央部分を前後よりも凹ませて形成してもよく、横方向の二次曲面と併せて三次曲面としてもよい。このように、座骨支持部１３２の全部または一部を、中央側を左右より凹ませた二次曲面、もしくは中央側を前後左右より凹ませた三次曲面にて形成することにより、オストメイトがより安定して着座できるとともに、座骨の当たりが柔らかくなり、より快適な使用感を得ることができる。
【００２６】
座骨支持部１３２の後方には、傾斜部１３３が連続して形成されている。傾斜部１３３は、本体２の傾斜面２１の傾斜角度とほぼ一致する傾斜角度にて、座骨支持部１３２から便座１の後端にかけて漸次高さが増すように形成されている。かかる傾斜部１３３により、便座１の後方に設けられている本体２との段差が解消され、座骨支持部１３２に座ったときに本体２との接触による違和感を防ぐことができる。なお、本実施態様では、オストメイト用着座部１３を構成する上記の各要素は、使用者の座り心地を考慮し、全体的に曲線的に構成され、各要素が連続的に移行するように極端な段差を設けることなく形成されている。
【００２７】
このように、本発明の便座１は、座骨支持部１３２の手前に膨出部１３１を形成することにより、本実施態様のように便座１の後方が本体２の形状に沿って反り上がるように傾斜して形成されている場合であっても、座面１１の後方部分にオストメイトが安定して着座可能なオストメイト用着座部１３を設けることができる。
【００２８】
次に、本発明の温水洗浄機能を有する本体２について説明する。図４の中央断面図に示すように、温水洗浄装置（図では記載を省略する）を内設する本体２は、側面視で略三角形に形成されている。そして、その正面側は便器開口へ向かって傾斜するように形成され、かかる傾斜面２１の下側の約半分は、便座１の後方部分が被っている。そして、上側の約半分は便座１が被らずに露出しているが、かかる傾斜面２１の露出部分には、断面視で略Ｌ字形に切り欠いたように形成された凹陥部２２が形成されている。
【００２９】
凹陥部２２は、平面視で台形状に形成された平坦部２２１と、該平坦部２２１から略垂直に立ち上がる立ち上がり部２２２から構成され、座骨支持部１３２に座ったときに臀部の一部がこの窪みに収容可能に形成されている。なお、凹陥部２２を構成するこれらの各要素は、前述のオストメイト用着座部１３とは異なり、直線的に形成されている。このように、あえて各要素を直線的に構成することにより、この凹陥部２２は着座用のスペースではないことを、視覚的あるいは感触により使用者に認識させることができる。
【００３０】
次に、本発明の便座１の使用方法について説明する。健常者が本発明の便座を使用する場合、通常の便座を使用する場合と異なるところはない。すなわち、座面１１に座って使用すれば良いが、このとき、健常者の体重はもっぱら座面１１の後方のオストメイト用着座部１３に近い開口１２近傍の加重領域１４にかかっている。なお、開口１２から加重領域１４にかけて傾斜を設けることにより、着座時の座骨及びその周辺部分の圧迫による痛みを防ぐことができて好ましい。
【００３１】
本発明の便座１をオストメイトが使用する場合は、健常者よりも後方に座って作業する。すなわち、オストメイトは座面１１の後方に設けたオストメイト着座部１３に座るが、このとき、座骨支持部１３２に座骨が当接して当該部分に体重がかかるようにして座ることで、臀部が所定位置にホールドされ、安定して良好な座り心地を得ることができる。なお、座面１１の後方のオストメイト用着座部１３に座った場合、使用者の臀部の一部が洗浄装置の本体２側へとはみ出してしまう場合があるが、かかる臀部の一部は、本体２に形成された凹陥部２２に収まるため、本体２と臀部が干渉することから生じる不快感を防ぐことができる。
【００３２】
なお、本実施態様の便座１は、座面１１の後方よりオストメイト着座部１３が緩やかに隆起して、連続的に形成されているため、使用者はその座る前後位置を自分の身長等に合わせて任意に選択することができる。すなわち、使用者の身長が低い場合、あまり奥に座ると足が床に届かなくなったり、ズボンやスカートを足先まで降ろす必要が生じる。このため、身長の低いオストメイトは、座骨支持部１３２より前方の膨出部１３１に座骨部分が当接するように座ってもよい。
【００３３】
図５は本発明の便座１の第二実施態様を表す。本実施態様の便座１および本体２も基本的な構成は上述の第一実施態様と変わらないが、本実施態様のものは、オストメイト着座部１３に以下の特徴を有する。
【００３４】
本実施態様のオストメイト着座部１３も、座面１１より膨出する膨出部１３１と、該膨出部１３１から後方へ連続して形成された座骨支持部１３２と、該座骨支持部１３２より後方へと連続する傾斜部１３３とから構成される。図に示すように、本実施態様では、膨出部１３１が座面１１よりほぼ垂直に立ち上がって非連続的に形成されており、その分、座骨支持部１３２はその前後幅が第一実施態様よりも広く形成されている。
【００３５】
このように、第二実施態様では、座骨支持部１３２の前後幅が広く形成されているため、オストメイトが安定してオストメイト着座部１３に座ることができる。また、膨出部１３１が座面１１よりほぼ垂直に立ち上がって非連続的に形成されているため、座骨支持部１３２と座面１１とが明確に区分けされる。したがって、健常者とオストメイトによる便座１の各部分の使い分けをより明確にすることができる。なお、本体２には凹陥部２２が形成されており、オストメイトが座骨支持部１３２に座る際に臀部の一部が収容されて、本体２と臀部が干渉することから生じる不快感を防ぐことができる点は第一実施態様と同様である。
【００３６】
なお、以上説明した本発明の第一実施態様および第二実施態様のいずれもオストメイト着座部１３は便座１に一体に形成されているが、オストメイト着座部１３の全部もしくは一部を便座１と分離可能に設けても良い。例えば、便座１とは独立してオストメイト着座部１３を設け、必要に応じて便座１に着脱可能としても良い。また、オストメイト着座部１３の一部、例えばその後端部で便座１にヒンジ等で回動自在に枢設し、使用しない場合はオストメイト着座部１３を弁蓋４と並ぶように倒立可能に設けても良い。
【符号の説明】
【００３７】
１  …  …  便座
２  …  …  本体
３  …  …  ボウル
４  …  …  便蓋
５  …  …  タンク
１１  …  …  座面
１２  …  …  開口
１３  …  …  オストメイト着座部
１４  …  …  加重領域
２１  …  …  傾斜面
２２  …  …  凹陥部
１２１  …  …  開口後端部
１３１  …  …  膨出部
１３２  …  …  座骨支持部
１３３  …  …  傾斜部
１３４  …  …  先端部
２２１  …  …  平坦部
２２２  …  …  立ち上がり部
Ｌ  …  …  仮想直線
【図１】
0006404765.tif 000002
【図２】
0006404765.tif 000003
【図３】
0006404765.tif 000004
【図４】
0006404765.tif 000005
【図５】
0006404765.tif 000006